(57)【特許請求の範囲】
【請求項１】
複数種類の帳票画像を読み取る読取部と、
前記読取部で読み取った画像から、帳票の種類を判定する帳票判定部と、
複数種類の帳票書式に対応して予め隠匿処理すべき領域を記憶する隠匿領域記憶部と、
前記読取部で読み取った帳票が、前記帳票判定部で特定の帳票と判断された場合に、前記隠匿領域記憶部が記憶した領域を隠匿処理した画像を紙又は電子情報として出力する出力部と、を備え、
前記出力部は、前記読取部が読みとった画像に、マーカー処理が施されていた場合に、前記マーカー処理が施されていた部分が前記隠匿領域記憶部に記憶されている隠匿領域であるとき、隠匿処理を削除して出力する
画像読込み装置。
【請求項２】
前記帳票判定部は、前記読取部により読み取られた帳票画像から特徴量を抽出することにより判定する請求項１記載の画像読込み装置。
【請求項３】
前記読取部で読みとった帳票画像を補正する補正部を有し、前記帳票判定部は、前記補正部により補正された帳票画像に基づいて帳票の種類を判定する請求項１又は２記載の画像読込み装置。
【請求項４】
操作の選択を行う選択肢を表示する表示部をさらに備え、
前記出力部は、前記選択肢が選択された際に、前記読取部で読みとった画像に隠匿処理を施した画像を出力する請求項１乃至３いずれか記載の画像読込み装置。
【請求項５】
前記読取部と前記出力部とは、装置として一体に組み込まれている請求項１乃至４いずれか記載の画像読込み装置。
【請求項６】
複数の種類の帳票画像を読み取るステップと、
読み取った画像から、帳票の種類を判定するステップと、
複数の種類の帳票書式に対応して予め隠匿処理すべき領域を記憶するステップと、
読み取った帳票が、特定の帳票と判断された場合に、記憶した領域を隠匿処理した画像を紙又は電子情報として出力するステップと、を有し、
読みとった画像にマーカー処理が施されていた場合に、前記マーカー処理が施されていた部分が記憶されている隠匿領域であるとき、隠匿処理を削除して出力する
をコンピュータに実行させるためのプログラム。
【発明の詳細な説明】
【技術分野】
【０００１】
本発明は、画像読込み装置及びプログラムに関する。
【背景技術】
【０００２】
特許文献１は、複合機により入力される原稿データを記憶部に記憶し、該原稿データの所定の領域に対してマスクが可能なマスクデータを生成して記憶部に記憶し、制御部が、記憶された原稿データを改変することなく、選択された原稿データに対して選択されたマスクデータを重ね合わせた状態で表示部に表示し、該原稿データに対して重ね合わせた状態で表示部に表示された前記マスクデータを編集可能とする構成を特徴とする文書管理装置を開示する。
【先行技術文献】
【特許文献】
【０００３】
【特許文献１】特開２０１０−２３８２６６号公報
【発明の概要】
【発明が解決しようとする課題】
【０００４】
本発明は、読み取った帳票に対して、直接、隠匿処理をして出力させることができる画像読込み装置及びプログラムを提供することを目的としている。
【課題を解決するための手段】
【０００５】
請求項１に係る本発明は、複数種類の帳票画像を読み取る読取部と、前記読取部で読み取った画像から、帳票の種類を判定する帳票判定部と、複数種類の帳票書式に対応して予め隠匿処理すべき領域を記憶する隠匿領域記憶部と、前記読取部で読み取った帳票が、前記帳票判定部で特定の帳票と判断された場合に、前記隠匿領域記憶部が記憶した領域を隠匿処理した画像を紙又は電子情報として出力する出力部と、を備えた画像読込み装置である。
【０００６】
請求項２に係る本発明は、前記帳票判定部は、前記読取部により読み取られた帳票画像から特徴量を抽出することにより判定する請求項１記載の画像読込み装置である。
【０００７】
請求項３に係る本発明は、前記読取部で読みとった帳票画像を補正する補正部を有し、前記帳票判定部は、前記補正部により補正された帳票画像に基づいて帳票の種類を判定する請求項１又は２記載の画像読込み装置である。
【０００８】
請求項４に係る本発明は、操作の選択を行う選択肢を表示する表示部をさらに備え、前記出力部は、前記選択肢が選択された際に、前記読取部で読みとった画像に隠匿処理を施した画像を出力する請求項１乃至３いずれか記載の画像読込み装置である。
【０００９】
請求項５に係る本発明は、前記出力部は、前記読取部が読みとった画像に、マーカー処理が施されていた場合に、前記読取部で読み取った画像に前記マーカー処理が施されていた部分を処理して出力する請求項１乃至４いずれか記載の画像読込み装置である。
【００１０】
請求項６に係る本発明は、前記出力部は、前記マーカー処理が施されていた部分を追加して隠匿処理して出力する請求項５記載の画像読込み装置である。
【００１１】
請求項７に係る本発明は、前記出力部は、前記マーカー処理が施されていた部分が前記隠匿領域記憶部に記憶されている隠匿領域である場合、隠匿処理を削除して出力する請求項５記載の画像読込み装置である。
【００１２】
請求項８に係る本発明は、前記出力部は、マーカー処理の色に応じて処理内容を異にして出力する請求項５記載の画像読込み装置である。
【００１３】
請求項９に係る本発明は、前記隠匿領域記憶部は、前記読取部が読みとった帳票画像のマーカー処理が施された部分を、当該種類の帳票に対する処理領域として登録する登録部を有する請求項１乃至８いずれか記載の画像読込み装置である。
【００１４】
請求項１０に係る本発明は、前記読取部と前記出力部とは、装置として一体に組み込まれている請求項１乃至９いずれか記載の画像読込み装置である。
【００１５】
請求項１１に係る本発明は、複数の種類の帳票画像を読み取るステップと、読み取った画像から、帳票の種類を判定するステップと、複数の種類の帳票書式に対応して予め隠匿処理すべき領域を記憶するステップと、読み取った帳票が、特定の帳票と判断された場合に、記憶した領域を隠匿処理した画像を紙又は電子情報として出力するステップと、をコンピュータに実行させるためのプログラムである。
【発明の効果】
【００１６】
請求項１に係る本発明によれば、読み取った帳票に対して、直接、隠匿処理をして出力させることができる画像読込み装置を提供することができる。
【００１７】
請求項２に係る本発明によれば、請求項１に係る本発明の効果に加えて、バーコード等の識別画像を帳票に施さなくとも帳票を判別することができる。
【００１８】
請求項３に係る本発明によれば、請求項１又は請求項２に係る本発明の効果に加えて、読み取った帳票画像を補正しない場合と比較して、帳票判別の精度を向上させることができる。
【００１９】
請求項４に係る本発明によれば、請求項１乃至３に係る本発明の効果に加えて、隠匿処理をオプション機能として選択することができる。
【００２０】
請求項５に係る本発明によれば、請求項１乃至４いずれかに係る本発明の効果に加えて、マーカーにより処理を選択することができる。
【００２１】
請求項６に係る本発明によれば、請求項５に係る本発明の効果に加えて、マーカー処理により隠匿領域を追加することができる。
【００２２】
請求項７に係る本発明によれば、請求項５に係る本発明の効果に加えて、マーカー処理により隠匿領域を削除することができる。
【００２３】
請求項８に係る本発明によれば、請求項５に係る本発明の効果に加えて、マーカーの色により異なる処理を実行することができる。
【００２４】
請求項９に係る本発明によれば、請求項５に係る本発明の効果に加えて、マーカー処理により隠匿すべき領域を設定して登録することができる。
【００２５】
請求項１０に係る本発明によれば、請求項１乃至９いずれか記載の発明の効果に加えて、一つの装置の中で読み取った画像を出力することができる。
【００２６】
請求項１１に係る本発明によれば、読み取った帳票に対して、直接、隠匿処理をして出力させることができるプログラムを提供することができる。
プログラムを提供することができる。
【図面の簡単な説明】
【００２７】
【図１】本発明の実施形態に係る画像処理システムを示す構成図である。
【図２】本発明の実施形態に係る画像読込み装置のハードウエアを示すブロック図である。
【図３】本発明の実施形態に係る画像読込み装置において、登録時の処理フローを示すフローチャートである。
【図４】本発明の実施形態に係る画像読込み装置において、帳票読取時の処理フローを示すフローチャートである。
【図５】本発明の実施形態に用いた帳票の第一例を示す帳票構成図である。
【図６】本発明の実施形態に用いた帳票の第二例を示す帳票構成図である。
【図７】本発明の実施形態に用いた帳票の第三例を示す帳票構成図である。
【図８】本発明の実施形態における表示部を示す画面図である。
【発明を実施するための形態】
【００２８】
次に、本発明の実施の形態について図面を参照して詳細に説明する。
図１は、本発明の実施形態に係る画像処理システムを備えた、例えば役所の配置図である。
【００２９】
役所における申請書の処理は、例えば受付→審査→登録→発行といったプロセスから成る。図１に示す配置図において、受付処理は、総合受付窓口１０で行う。総合受付窓口１０では、受付担当者が申請書を受け付けると、書誌事項を確認し、確認した申請書を画像読込み装置１２で処理する。申請書は、まとめて画像読込み装置１２によりスキャン（読み取り）することができる。また、画像読込み装置１２は、申請書をファクシミリで受け付けることができる。
【００３０】
画像読込み装置１２は、例えば複合機である画像形成装置１４と、追加ハードウエア１６とから構成されている。画像読込み装置１２は、後述するように、まとめて読み取った申請書を審査の各担当者へ振り分けると共に、マスク処理（隠匿処理）を行う。
【００３１】
審査処理は、例えば子供手当担当１８、印鑑登録担当２０、住所異動届担当２２等に分かれて審査する。それぞれの担当１８、２０、２２は、画像読込み装置１２で振り分けられた申請書を表示するディスプレイを有するパーソナルコンピュータ２４が配置されている。それぞれのディスプレイには、マスク処理された申請書が表示され、必要によっては申請書の原本を参照しながら、申請の承認可否を判断する。承認できる場合は、マスク処理された申請書に電子的な承認印を押したり、必要な記載を施し、基幹システム２６へ登録する。また、必要により承認した内容を基幹システムに登録する。
【００３２】
基幹システム２６は、例えばサーバから構成され、マスク処理された各申請書を格納する。また、申請書に従って申請内容が反映されたデータが格納される。この基幹システム２６は、各部署のコンピュータや画像形成装置にネットワークを介して接続されている。なお、マスク処理されていない原本の写しは個人情報等閲覧して良い人が限られる情報が含まれるため、電子情報としてサーバ等に格納しないという対応が望まれる場合もある。もしマスク処理されていない原本の写しを電子情報として保存するのが必要な場合は、そのファイルが保存される領域のセキュリティレベルをマスク処理された各申請書が格納される領域よりも高めるとよい。
【００３３】
発行処理は、発行窓口２８で行う。発行窓口２８には、基幹システム２６に接続されたプリンタ３０が配置されている。この発行窓口２８では、住民票の写しや印鑑登録票等をプリンタ３０で印刷して発行申請者へ渡す。
【００３４】
図２は、画像読込み装置１２を示すブロック図である。
画像形成装置１４は、画像形成部３２、読取部３４及び表示部３６を有する。画像形成部３２は、読取部３４で読み取った原稿を印刷したり、ファクシミリ回線やネットワークを介して受け付けた画像を紙又は電子情報として出力する。
【００３５】
追加ハードウエア１６は、ＣＰＵ３８、メモリ４０、入出力インターフェイス４２を有し、これらが制御バス４４を介して接続されている。
【００３６】
ＣＰＵ３８は、メモリ４０に格納された制御プログラムに基づいて予め定められた処理を実行する。入出力インターフェイス４２は、画像形成装置１４との間でデータを入出力する。
【００３７】
次に画像読込み装置１２の処理フローについて説明する。
図３は、申請書帳票の書式を事前に登録するためのフローチャートである。
【００３８】
まず、ステップＳ１０において、登録すべき帳票を受け付ける。登録すべき帳票は、原本を読取部３４で読み取っても良いし、基幹システム２６からダウンロードしても良いし、ファクシミリで送られた画像データであっても良い。登録すべき帳票は、図５〜図７に示すように、例えば「住民票異動届」「乳幼児・子ども医療費助成申請事項変更（消滅）届」「印鑑登録申請書」等がある。登録すべき帳票の特定は、表示部３６から申請書の名称等を入力しても良いが、申請書にバーコードや二次元バーコード等のコード情報がある場合にはこれを読み取っても良い。また、申請書の名称がある部分をＯＣＲにかけて読み取ることにより登録すべき帳票を特定するようにしても良い。
【００３９】
次のステップＳ１２においては、マスクすべき領域を設定する。マスクすべき領域の設定は、例えば表示部３６からマスクすべき領域の座標を入力しても良いが、帳票を読み取るときに設定することもできる。
【００４０】
即ち、例えば蛍光ペン等のマーカーによりマスクすべき領域をマーキングする。マーキングされた領域を読取部３４により読み取ることにより設定することができる。マーカーの色は予め設定され、読取部３４によりマーカーの色を読み取ると、マーカー周辺の矩形領域を認識し、この矩形領域をマスクすべき領域として設定する。
【００４１】
マスクすべき情報には、例えば個人情報保護法で規定されている個人情報が含まれる。個人情報とは、個人を特定することが可能である情報であり、氏名、生年月日、性別、住所、電話番号等が含まれる。また、マスクすべき情報には、他にマイナンバー、口座番号、暗証番号等が含まれる。図５〜図７のハッチングで示すように、これらのマスクすべき情報が記載される枠が黒塗りされるように設定される。
【００４２】
そして、次のステップＳ１４において、帳票画像データ（以下、マスターデータという。）及び該帳票画像データに対して設定されたマスクすべき領域データをメモリ４０、基幹システム２６あるいは画像形成装置１４に登録して処理を終了する。
【００４３】
図４は、受付処理における処理フローを示すフローチャートである。
まずステップＳ２０において、申請者が申請した記入済みの申請書帳票を読取部３４により読み取る。
【００４４】
次のステップＳ２２においては、ステップＳ２０で読み取った画像を補正する。補正は、例えば読取部３４で読み取る際に用紙の向きが逆であったり、傾いた場合に読み取った画像に対して行う。用紙の向きは、例えば読取部３４で読み取った文字部分に対してＯＣＲを正逆にかけることにより判定する。用紙の傾きは、例えば枠の直線部分の向きで判定する。このように補正された帳票画像データを以下では入力データという。
【００４５】
次のステップＳ２４においては、申請された帳票がどれであるかを判定する。この判定は、例えばマスターデータと入力データそれぞれの特徴量抽出し、それぞれの特徴量の類似度で判定する。
【００４６】
ここで、特徴量とは、画像認識において画像を分析する際に抽出する特徴のことであり、面積や幅、周囲の長さ等がこれにあたる。この実施形態においては、マスターデータ及び入力データから角やエッジ等の特徴を検出し、特徴の周りにどのようなものがあるかを数値化して特徴量としている。マスターデータ及び入力データと特徴抽出により得られたそれぞれの特徴量を比較することで帳票を特定する。
【００４７】
なお、申請書にバーコード、２次元バーコード等のコード情報がある場合にはそのコード情報を読み取ることで帳票を特定しても良いし、ＯＣＲにより文字を認識することにより帳票を特定しても良い。
【００４８】
次のステップS２６においては、マスク処理を行う。即ち、前述したステップS１４で登録されたマスクすべき領域情報を読み出し、この読み出された領域情報に基づいてマスク処理を実行する。
【００４９】
次のステップS２８においては、マスクすべき領域が追加されていないか否かを判定する。マスクすべき領域は、ステップS１４で登録された固定の領域以外に追加することができる。マスクすべき領域の追加は、総合受付窓口１０で行ったり、審査の担当１８、２０、２２が行ったりすることができる。例えば総合受付窓口１０において、図７に示すように、欄外にマスクすべき情報が記載されている場合、この記載領域４６を指定することにより行う。
【００５０】
記載領域４６の指定は、例えば表示部３６から記載領域４６の座標を入力しても良いが、帳票を読み取るときに設定することもできる。
【００５１】
即ち、例えば蛍光ペン等のマーカーにより記載領域４６を囲むようにマーキングする。マーキング部分を読取部３４により読み取ることにより指定することができる。マーカーの色は予め設定され、読取部３４によりマーカーの色を読み取ると、マーカー内の記載領域４６を認識し、この記載領域４６をマスクすべき領域として設定する。
このようなマスクすべき領域の追加は、総合受付窓口１０において、帳票の読み取り前にマーキングしても良いし、読み取った画像を例えばディスプレイに表示させて確認し、追加すべき領域があった場合、紙に出力し、マーキングして再度読取部３４で読み取るようにしても良い。
【００５２】
なお、マーカーの色により異なる処理を行うことができる。例えば赤色の場合はマスクすべき領域を追加し、例えば図５に示すように、登録されたマスク領域を削除したい場合、青色のマーカーを用いて削除領域４８を指定し、この領域をマスク領域から削除するようにしても良い。
【００５３】
ステップＳ２８において、マスクすべき領域が追加されている場合には、ステップＳ２６に戻って追加された領域にマスク処理を行う。ステップＳ２８において、マスクすべき領域の追加が無いと判定された場合は、ステップＳ３０に進み、処理を終了する。
【００５４】
ステップＳ３０においては、マスク処理された帳票を出力する。ここで、出力とは、画像形成装置１４等により紙に印刷する場合のみならず、ネットワークやファクシミリ回線を介して送信したり、あるいは追加ハードウエア１６のメモリ４０に記憶させることも含まれる。
【００５５】
マスク処理は、画像読込み装置１２のオプション機能として動作する。また、領域に対する処理は、マスク処理に限定されない。
【００５６】
図８は、表示部３６の操作画面５０を示す。
操作画面５０には、操作を選択する選択肢（アイコン）が表示されている。即ち、マスク処理選択肢５２は、前述したように、マーキングされた領域をマスク処理する場合に選択する。領域抽出選択肢５４は、マーキングされた領域を抽出し、別ファイルに保存する場合に選択する。マスク領域反転選択肢５６は、マスク領域の例えば白黒を反転させる場合に選択する。領域の文字認識選択肢５８は、領域内の文字をＯＣＲにより文字認識する場合に選択する。領域の文字ハイライト選択肢６０は、領域内の文字をハイライトする場合に選択する。
【００５７】
なお、上記実施形態においては、役所における申請書処理業務について説明したが、本発明はこれに限定されるものでは無い。例えばマイナンバー等の個人情報を法人又は役所が収集した際に、第三者（入力代行業者等）にその情報を非公開する場合に個人情報をマスクしたり、あるいは法人が関連業者へ帳票・伝票等を送付する場合に機密情報をマスクしたりする業務にも適用することができる。
【００５８】
また、上記実施形態においては、画像読込み装置１２は、画像形成装置１４に追加ハードウエア１４を追加して構成したが、追加ハードウエア１４を設けること無に画像形成装置１４にマスク機能を持たせるようにしても良い。
【符号の説明】
【００５９】
１２    画像読込み装置
１４    画像形成装置
１６    追加ハードウエア
２４    パーソナルコンピュータ
２６    基幹システム
３２    画像形成部
３４    読取部
３６    表示部
３８    ＣＰＵ
４０    メモリ
４６    記載領域
４８    削除領域
【図１】
0006694587.tif 000002
【図２】
0006694587.tif 000003
【図３】
0006694587.tif 000004
【図４】
0006694587.tif 000005
【図５】
0006694587.tif 000006
【図６】
0006694587.tif 000007
【図７】
0006694587.tif 000008
【図８】
0006694587.tif 000009